(57)【要約】【課題】時間的に連続した画像の記録／再生の途中で不都合な画像の混入を極力回避する。【解決手段】対象となる画像に対して時間的に隣接した直前の画像及び直後の画像とのそれぞれ差異を検出し、その検出結果により対象となる画像のフラッシュメモリ29への記録を禁止する制御部22を備える。【選択図】    図１
2004207990.tif 000002
【特許請求の範囲】
【請求項１】
時間的に連続した画像を撮影して記録する撮像装置において、
対象となる画像と、該画像に対して時間的に隣接した直前の画像との差異を検出する第１の検出手段と、
上記対象となる画像と、該画像に対して時間的に隣接した直後の画像との差異を検出する第２の検出手段と、
上記第１の検出手段により検出された差異が所定値より大きいか否かを判別する第１の判別手段と、
上記第２の検出手段により検出された差異が所定値より大きいか否かを判別する第２の判別手段と、
上記第１の判別手段により差異が所定値より大きいと判別され、且つ上記第２の判別手段により差異が所定値より大きいと判別された場合に、上記対象となる画像の記録を禁止する記録制御手段と
を具備したことを特徴とする撮像装置。
【請求項２】
上記直前の画像と直後の画像との差異を検出する第３の検出手段と、
この第３の検出手段により検出された差異が所定値より小さいか否かを判別する第３の判別手段とをさらに備え、
上記記録制御手段は、上記第１の判別手段により差異が所定値より大きいと判別され、且つ上記第２の判別手段により差異が所定値より大きいと判別され、且つ上記第３の判別手段により差異が所定値より小さいと判別された場合に、上記対象となる画像の記録を禁止する
ことを特徴とする請求項１記載の撮像装置。
【請求項３】
上記記録制御手段は、記録を禁止した上記対象となる画像に代えて、上記直前の画像、直後の画像、及び直前の画像と直後の画像から作成した新たな画像のいずれかを記録することを特徴とする請求項１または２記載の撮像装置。
【請求項４】
上記記録制御手段は、上記対象となる画像の記録の禁止に際して、禁止した旨を示す情報を記録することを特徴とする請求項１または２記載の撮像装置。
【請求項５】
時間的に連続した画像を撮影する撮像装置において、
対象となる画像と、該画像に対して時間的に隣接した直前の画像との差異を検出する第１の検出手段と、
上記対象となる画像と、該画像に対して時間的に隣接した直後の画像との差異を検出する第２の検出手段と、
上記第１の検出手段により検出された差異が所定値より大きいか否かを判別する第１の判別手段と、
上記第２の検出手段により検出された差異が所定値より大きいか否かを判別する第２の判別手段と、
時間的に連続して撮影される画像をモニタ表示する表示手段と、
上記第１の判別手段により差異が所定値より大きいと判別され、且つ上記第２の判別手段により差異が所定値より大きいと判別された場合に、上記対象となる画像に代えて、上記直前の画像、直後の画像、及び直前の画像と直後の画像から作成した新たな画像のいずれかを上記表示手段で表示させる表示制御手段と
を具備したことを特徴とする撮像装置。
【請求項６】
時間的に連続した画像を撮影して記録する撮像装置において、
対象となる画像と、該画像に対して時間的に隣接した直前の画像との差異を検出する第１の検出手段と、
上記対象となる画像と、該画像に対して時間的に隣接した直後の画像との差異を検出する第２の検出手段と、
上記第１の検出手段により検出された差異が所定値より大きいか否かを判別する第１の判別手段と、
上記第２の検出手段により検出された差異が所定値より大きいか否かを判別する第２の判別手段と、
上記第１の判別手段により差異が所定値より大きいと判別され、且つ上記第２の判別手段により差異が所定値より大きいと判別された場合に上記対象となる画像の再生を禁止する旨の情報を上記対象となる画像とともに記録する記録制御手段と
を具備したことを特徴とする撮像装置。
【請求項７】
時間的に連続した画像を再生する画像再生装置において、
対象となる画像と、該画像に対して時間的に隣接した直前の画像との差異を検出する第１の検出手段と、
上記対象となる画像と、該画像に対して時間的に隣接した直後の画像との差異を検出する第２の検出手段と、
上記第１の検出手段により検出された差異が所定値より大きいか否かを判別する第１の判別手段と、
上記第２の検出手段により検出された差異が所定値より大きいか否かを判別する第２の判別手段と、
上記第１の判別手段により差異が所定値より大きいと判別され、且つ上記第２の判別手段により差異が所定値より大きいと判別された場合に、上記対象となる画像の再生を禁止する再生制御手段と
を具備したことを特徴とする画像再生装置。
【請求項８】
上記直前の画像と直後の画像との差異を検出する第３の検出手段と、この第３の検出手段により検出された差異が所定値より小さいか否かを判別する第３の判別手段とをさらに備え、上記再生制御手段は、上記第１の判別手段により差異が所定値より大きいと判別され、且つ上記第２の判別手段により差異が所定値より大きいと判別され、且つ上記第３の判別手段により差異が所定値より小さいと判別された場合に、対象となる画像の再生を禁止することを特徴とする請求項７記載の画像再生装置。
【請求項９】
上記再生制御手段は、再生を禁止した上記対象となる画像の再生の禁止に合わせて、上記直前の画像または直後の画像の再生時間を調整することを特徴とする請求項７又は８記載の画像再生装置。
【請求項１０】
時間的に連続した画像を記録する撮像装置に内蔵されたコンピュータが実行するプログラムであって、
対象となる画像と、該画像に対して時間的に隣接した直前の画像との差異を検出する第１の検出ステップと、
上記対象となる画像と、該画像に対して時間的に隣接した直後の画像との差異を検出する第２の検出ステップと、
上記第１の検出ステップで検出された差異が所定値より大きいか否かを判別する第１の判別ステップと、
上記第２の検出ステップで検出された差異が所定値より大きいか否かを判別する第２の判別ステップと、
上記第１の判別ステップで差異が所定値より大きいと判別され、且つ上記第２の判別ステップで差異が所定値より大きいと判別された場合に、上記対象となる画像の記録を禁止する記録制御ステップと
をコンピュータに実行させることを特徴とするプログラム。
【請求項１１】
時間的に連続した画像を記録する撮像装置に内蔵されたコンピュータが実行するプログラムであって、
対象となる画像と、該画像に対して時間的に隣接した直前の画像との差異を検出する第１の検出ステップと、
上記対象となる画像と、該画像に対して時間的に隣接した直後の画像との差異を検出する第２の検出ステップと、
上記第１の検出ステップで検出された差異が所定値より大きいか否かを判別する第１の判別ステップと、
上記第２の検出ステップで検出された差異が所定値より大きいか否かを判別する第２の判別ステップと、
時間的に連続して撮影される画像をモニタ表示する表示ステップと、
上記第１の判別ステップで差異が所定値より大きいと判別され、且つ上記第２の判別ステップで差異が所定値より大きいと判別された場合に、上記対象となる画像に代えて、上記直前の画像、直後の画像、及び直前の画像と直後の画像から作成した新たな画像のいずれかを上記表示ステップで表示させる表示制御ステップと
をコンピュータに実行させることを特徴とするプログラム。
【請求項１２】
時間的に連続した画像を記録する撮像装置に内蔵されたコンピュータが実行するプログラムであって、
対象となる画像と、該画像に対して時間的に隣接した直前の画像との差異を検出する第１の検出ステップと、
上記対象となる画像と、該画像に対して時間的に隣接した直後の画像との差異を検出する第２の検出ステップと、
上記第１の検出ステップで検出された差異が所定値より大きいか否かを判別する第１の判別ステップと、
上記第２の検出ステップで検出された差異が所定値より大きいか否かを判別する第２の判別ステップと、
上記第１の判別ステップで差異が所定値より大きいと判別され、且つ上記第２の判別ステップで差異が所定値より大きいと判別された場合に上記対象となる画像の再生を禁止する旨の情報を上記対象となる画像とともに記録する記録制御ステップと
をコンピュータに実行させることを特徴とするプログラム。
【請求項１３】
時間的に連続した画像を再生する画像再生装置に内蔵されたコンピュータが実行するプログラムであって、
対象となる画像と、該画像に対して時間的に隣接した直前の画像との差異を検出する第１の検出ステップと、
上記対象となる画像と、該画像に対して時間的に隣接した直後の画像との差異を検出する第２の検出ステップと、
上記第１の検出ステップで検出された差異が所定値より大きいか否かを判別する第１の判別ステップと、
上記第２の検出ステップで検出された差異が所定値より大きいか否かを判別する第２の判別ステップと、
上記第１の判別ステップで差異が所定値より大きいと判別され、且つ上記第２の判別ステップで差異が所定値より大きいと判別された場合に、上記対象となる画像の再生を禁止する再生制御ステップと
をコンピュータに実行させることを特徴とするプログラム。
【発明の詳細な説明】
【０００１】
【発明の属する技術分野】
本発明は、時間的に連続した複数画像からなる連写画像や動画像を取扱う撮像装置、画像再生装置及びプログラムに関する。
【０００２】
【従来の技術】
近時、カメラ一体型のビデオテープレコーダのみならず、デジタルスチルカメラにおいても、例えば３０秒等の時間制限はあるものの、動画撮影を行なうことが可能なものが一般的となっている。
【０００３】
しかるに、動画撮影においては、手振れやオートホワイトバランス機能の追従の乱れ等によって、時間的に連続した複数の画像中の一部が不安定となることが多々あり、その場合には再生時に見苦しい画像となってしまう。
【０００４】
手振れ補正の一般的な方法としては、光学式のものと、電子式のものがある。光学式の手振れ補正は、手振れを検出する振動センサと、この振動センサの出力に応じてレンズ光軸を偏心させる手振れ補正機構とからなり、全体として装置が複雑で高価となるので、主として高級一眼レフタイプの銀塩カメラに採用されるのみとなっている。（例えば、特許文献１参照。）
電子式の手振れ補正は、手振れを検出する振動センサと、本来必要な画像エリアよりも大きな撮像面を有するＣＣＤ等のイメージセンサを有し、振動センサの出力に応じてイメージセンサから画像データを読出すエリアを随時可変制御するもので、主にカメラ一体型のビデオテープレコーダに採用されている。（例えば、特許文献２参照。）
また、オートホワイトバランス機能は、光源の色温度に合わせた色調整を自動で行なう大変便利な機能である反面、動画などの連続する画像では、光源の微妙な変化で調整の閾値を越えたために色合いが急激に大きく変わってしまい、見苦しい画像となってしまうことも充分あり得る。
【０００５】
【特許文献１】
特開平０６−２０２１８４号公報
【０００６】
【特許文献２】
特開平０６−２６１２４５号公報
【０００７】
【発明が解決しようとする課題】
上述した如く、手振れ補正に関しては光学式、電子式のいずれにしても振動センサを含む複雑な機構的な組込む必要があり、小型、軽量で且つ製造コストの低減が要求されるコンパクトタイプのデジタルスチルカメラに採用することは困難であった。
【０００８】
加えて、上記オートホワイトバランス機能による色合いの急激な変化を含め、例えばレンズの直前を何かが横切るなど、動画の撮影途中で突発的な事態が発生して画像が見苦しいものとなってしまうことは多々あり得る。
【０００９】
本発明は上記のような実情に鑑みてなされたもので、その目的とするところは、時間的に連続した画像の記録／再生の途中で不都合な画像の混入を極力回避することが可能な撮像装置、画像再生装置及びプログラムを提供することにある。
【００１０】
【課題を解決するための手段】
請求項１記載の発明は、時間的に連続した画像を撮影して記録する撮像装置において、対象となる画像と、該画像に対して時間的に隣接した直前の画像との差異を検出する第１の検出手段と、上記対象となる画像と、該画像に対して時間的に隣接した直後の画像との差異を検出する第２の検出手段と、上記第１の検出手段により検出された差異が所定値より大きいか否かを判別する第１の判別手段と、上記第２の検出手段により検出された差異が所定値より大きいか否かを判別する第２の判別手段と、上記第１の判別手段により差異が所定値より大きいと判別され、且つ上記第２の判別手段により差異が所定値より大きいと判別された場合に、上記対象となる画像の記録を禁止する記録制御手段とを具備したことを特徴とする。
【００１１】
このような構成とすれば、前後の画像との差異から不都合な画像を検出してその画像の記録を禁止するため、再生時には画像中から上記不都合な画像が除外されており、見苦しくない画像のみで構成された動画等を表示させることができる。
【００１２】
請求項２記載の発明は、上記請求項１記載の発明において、上記直前の画像と直後の画像との差異を検出する第３の検出手段と、この第３の検出手段により検出された差異が所定値より小さいか否かを判別する第３の判別手段とをさらに備え、上記記録制御手段は、上記第１の判別手段により差異が所定値より大きいと判別され、且つ上記第２の判別手段により差異が所定値より大きいと判別され、且つ上記第３の判別手段により差異が所定値より小さいと判別された場合に、上記対象となる画像の記録を禁止することを特徴とする。
【００１３】
このような構成とすれば、上記請求項１記載の発明の作用に加えて、対象となる画像と前後の画像との差異が小さく、対象となる画像の確実な判定ができると判断した場合にのみそれを実施するようにしたため、誤って不具合のない画像の記録を禁止してしまうのを阻止できる。
【００１４】
請求項３記載の発明は、上記請求項１または２記載の発明において、上記記録制御手段は、記録を禁止した上記対象となる画像に代えて、上記直前の画像、直後の画像、及び直前の画像と直後の画像から作成した新たな画像のいずれかを記録することを特徴とする。
【００１５】
このような構成とすれば、上記請求項１または２記載の発明の作用に加えて、記録を禁止した画像に代えて隣接した画像またはそれらから作成した画像を挿入して記録するようにしたため、時間的なずれが発生せず、且つ違和感も生じない、きわめて自然な流れの画像が記録できる。
【００１６】
請求項４記載の発明は、上記請求項１または２記載の発明において、上記記録制御手段は、上記対象となる画像の記録の禁止に際して、禁止した旨を示す情報を記録することを特徴とする。
【００１７】
このような構成とすれば、上記請求項１または２記載の発明の作用に加えて、後の再生時に上記禁止した旨を示す情報を読取ることで、例えば隣接した画像またはそれらから作成した画像を挿入して再生するなど、時間的なずれを発生させず、且つ違和感も生じさせずにきわめて自然な流れの画像を再生するように対処できる。
【００１８】
請求項５記載の発明は、時間的に連続した画像を撮影する撮像装置において、対象となる画像と、該画像に対して時間的に隣接した直前の画像との差異を検出する第１の検出手段と、上記対象となる画像と、該画像に対して時間的に隣接した直後の画像との差異を検出する第２の検出手段と、上記第１の検出手段により検出された差異が所定値より大きいか否かを判別する第１の判別手段と、上記第２の検出手段により検出された差異が所定値より大きいか否かを判別する第２の判別手段と、時間的に連続して撮影される画像をモニタ表示する表示手段と、上記第１の判別手段により差異が所定値より大きいと判別され、且つ上記第２の判別手段により差異が所定値より大きいと判別された場合に、上記対象となる画像に代えて、上記直前の画像、直後の画像、及び直前の画像と直後の画像から作成した新たな画像のいずれかを上記表示手段で表示させる表示制御手段とを具備したことを特徴とする。
【００１９】
このような構成とすれば、撮影時にモニタ表示される画像に不自然な画像が混入することなく、きわめて自然な流れの画像を表示させることができる。
【００２０】
請求項６記載の発明は、時間的に連続した画像を撮影して記録する撮像装置において、対象となる画像と、該画像に対して時間的に隣接した直前の画像との差異を検出する第１の検出手段と、上記対象となる画像と、該画像に対して時間的に隣接した直後の画像との差異を検出する第２の検出手段と、上記第１の検出手段により検出された差異が所定値より大きいか否かを判別する第１の判別手段と、上記第２の検出手段により検出された差異が所定値より大きいか否かを判別する第２の判別手段と、上記第１の判別手段により差異が所定値より大きいと判別され、且つ上記第２の判別手段により差異が所定値より大きいと判別された場合に上記対象となる画像の再生を禁止する旨の情報を上記対象となる画像とともに記録する記録制御手段とを具備したことを特徴とする。
【００２１】
このような構成とすれば、前後の画像との差異から不都合な画像を検出して再生を禁止する画像である旨を示すフラグ等の情報を付加して記録するため、後の再生時に上記再生を禁止する画像である旨を示すフラグ等の情報を読取り、その画像の再生を表示することで、見苦しくない画像のみで構成された動画等を表示させることができるだけでなく、さらに直前の画像の再生時間を延長させたり、前後の画像またはそれらから作成した画像を再生を禁止した画像の代わりに挿入して再生させるようにすれば、時間的なずれを発生させず、且つ違和感も生じさせずにきわめて自然な流れの画像を再生するように対処できるようになる。
【００２２】
請求項７記載の発明は、時間的に連続した画像を再生する画像再生装置において、対象となる画像と、該画像に対して時間的に隣接した直前の画像との差異を検出する第１の検出手段と、上記対象となる画像と、該画像に対して時間的に隣接した直後の画像との差異を検出する第２の検出手段と、上記第１の検出手段により検出された差異が所定値より大きいか否かを判別する第１の判別手段と、上記第２の検出手段により検出された差異が所定値より大きいか否かを判別する第２の判別手段と、上記第１の判別手段により差異が所定値より大きいと判別され、且つ上記第２の判別手段により差異が所定値より大きいと判別された場合に、上記対象となる画像の再生を禁止する再生制御手段とを具備したことを特徴とする。
【００２３】
このような構成とすれば、前後の画像との差異から不都合な画像を検出してその画像の再生を禁止するため、画像中から上記不都合な画像が除外され、見苦しくない画像のみで構成された動画等を表示させることができる。
【００２４】
請求項８記載の発明は、上記請求項７記載の発明において、上記直前の画像と直後の画像との差異を検出する第３の検出手段と、この第３の検出手段により検出された差異が所定値より小さいか否かを判別する第３の判別手段とをさらに備え、上記再生制御手段は、上記第１の判別手段により差異が所定値より大きいと判別され、且つ上記第２の判別手段により差異が所定値より大きいと判別され、且つ上記第３の判別手段により差異が所定値より小さいと判別された場合に、対象となる画像の再生を禁止することを特徴とする。
【００２５】
このような構成とすれば、上記請求項７記載の発明の作用に加えて、対象となる画像と前後の画像との差異が小さく、対象となる画像の確実な判定ができると判断した場合にのみそれを実施するようにしたため、誤って不具合のない画像の再生を禁止してしまうのを阻止できる。
【００２６】
請求項９記載の発明は、上記請求項７または８記載の発明において、上記再生制御手段は、再生を禁止した上記対象となる画像の再生の禁止に合わせて、上記直前の画像または直後の画像の再生時間を調整することを特徴とする。
【００２７】
このような構成とすれば、上記請求項７または８記載の発明の作用に加えて、対象となる画像に代えて隣接した画像を用いた再生を実行することで、時間的なずれを発生させず、且つ違和感も生じさせずにきわめて自然な流れの画像を再生することができる。
【００２８】
請求項１０記載の発明は、時間的に連続した画像を記録する撮像装置に内蔵されたコンピュータが実行するプログラムであって、対象となる画像と、該画像に対して時間的に隣接した直前の画像との差異を検出する第１の検出ステップと、上記対象となる画像と、該画像に対して時間的に隣接した直後の画像との差異を検出する第２の検出ステップと、上記第１の検出ステップで検出された差異が所定値より大きいか否かを判別する第１の判別ステップと、上記第２の検出ステップで検出された差異が所定値より大きいか否かを判別する第２の判別ステップと、上記第１の判別ステップで差異が所定値より大きいと判別され、且つ上記第２の判別ステップで差異が所定値より大きいと判別された場合に、上記対象となる画像の記録を禁止する記録制御ステップとをコンピュータに実行させることを特徴とする。
【００２９】
このようなプログラム内容とすれば、前後の画像との差異から不都合な画像を検出してその画像の記録を禁止するため、再生時には画像中から上記不都合な画像が除外されており、見苦しくない画像のみで構成された動画等を表示させることができる。
【００３０】
請求項１１記載の発明は、時間的に連続した画像を記録する撮像装置に内蔵されたコンピュータが実行するプログラムであって、対象となる画像と、該画像に対して時間的に隣接した直前の画像との差異を検出する第１の検出ステップと、上記対象となる画像と、該画像に対して時間的に隣接した直後の画像との差異を検出する第２の検出ステップと、上記第１の検出ステップで検出された差異が所定値より大きいか否かを判別する第１の判別ステップと、上記第２の検出ステップで検出された差異が所定値より大きいか否かを判別する第２の判別ステップと、時間的に連続して撮影される画像をモニタ表示する表示ステップと、上記第１の判別ステップで差異が所定値より大きいと判別され、且つ上記第２の判別ステップで差異が所定値より大きいと判別された場合に、上記対象となる画像に代えて、上記直前の画像、直後の画像、及び直前の画像と直後の画像から作成した新たな画像のいずれかを上記表示ステップで表示させる表示制御ステップとをコンピュータに実行させることを特徴とする。
【００３１】
このようなプログラム内容とすれば、撮影時にモニタ表示される画像に不自然な画像が混入することなく、きわめて自然な流れの画像を表示させることができる。
【００３２】
請求項１２記載の発明は、時間的に連続した画像を記録する撮像装置に内蔵されたコンピュータが実行するプログラムであって、対象となる画像と、該画像に対して時間的に隣接した直前の画像との差異を検出する第１の検出ステップと、上記対象となる画像と、該画像に対して時間的に隣接した直後の画像との差異を検出する第２の検出ステップと、上記第１の検出ステップで検出された差異が所定値より大きいか否かを判別する第１の判別ステップと、上記第２の検出ステップで検出された差異が所定値より大きいか否かを判別する第２の判別ステップと、上記第１の判別ステップで差異が所定値より大きいと判別され、且つ上記第２の判別ステップで差異が所定値より大きいと判別された場合に上記対象となる画像の再生を禁止する旨の情報を上記対象となる画像とともに記録する記録制御ステップとをコンピュータに実行させることを特徴とする。
【００３３】
このようなプログラム内容とすれば、前後の画像との差異から不都合な画像を検出して再生を禁止する画像である旨を示すフラグ等の情報を付加して記録するため、後の再生時に上記再生を禁止する画像である旨を示すフラグ等の情報を読取り、その画像の再生を表示することで、見苦しくない画像のみで構成された動画等を表示させることができるだけでなく、さらに直前の画像の再生時間を延長させたり、前後の画像またはそれらから作成した画像を再生を禁止した画像の代わりに挿入して再生させるようにすれば、時間的なずれを発生させず、且つ違和感も生じさせずにきわめて自然な流れの画像を再生するように対処できるようになる。
【００３４】
請求項１３記載の発明は、時間的に連続した画像を再生する画像再生装置に内蔵されたコンピュータが実行するプログラムであって、対象となる画像と、該画像に対して時間的に隣接した直前の画像との差異を検出する第１の検出ステップと、上記対象となる画像と、該画像に対して時間的に隣接した直後の画像との差異を検出する第２の検出ステップと、上記第１の検出ステップで検出された差異が所定値より大きいか否かを判別する第１の判別ステップと、上記第２の検出ステップで検出された差異が所定値より大きいか否かを判別する第２の判別ステップと、上記第１の判別ステップで差異が所定値より大きいと判別され、且つ上記第２の判別ステップで差異が所定値より大きいと判別された場合に、上記対象となる画像の再生を禁止する再生制御ステップとをコンピュータに実行させることを特徴とする。
【００３５】
このようなプログラム内容とすれば、前後の画像との差異から不都合な画像を検出してその画像の再生を禁止するため、画像中から上記不都合な画像が除外され、見苦しくない画像のみで構成された動画等を表示させることができる。
【００３６】
【発明の実施形態】
以下本発明を静止画像及び動画のいずれも撮影可能なデジタルカメラに適用した場合の一実施形態について図面を参照して説明する。
【００３７】
（実施形態の構成）
図１はその回路構成を示すもので、１０がデジタルカメラである。このデジタルカメラ１０は、基本モードとして撮影モードと再生モードとを切換えて設定可能であり、撮影モードでのモニタリング状態においては、モータ（Ｍ）１１の駆動により合焦位置や絞り位置が移動されるレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１フレーム分出力する。
【００３８】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換されてカラープロセス回路１８へ出力される。
【００３９】
このカラープロセス回路１８は、Ａ／Ｄ変換器１７から送られてくる画像のデジタルデータに対する画素補間処理及びγ補正処理を含むカラープロセス処理を行ない、デジタル値の輝度信号Ｙ及び色差信号Ｃｂ，Ｃｒを生成してＤＭＡ（Ｄｉｒｅｃｔ  Ｍｅｍｏｒｙ  Ａｃｃｅｓｓ）コントローラ１９に出力する。
【００４０】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送出力する。
【００４１】
制御部２２は、このデジタルカメラ１０全体の動作制御を司るべく、ＣＰＵと動作プログラムを記憶したＲＯＭ、ワークメモリとしてのＲＡＭ等から構成されるものであり、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００４２】
デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００４３】
この表示部２６は、例えばバックライト付のカラー液晶表示パネルとその駆動回路とで構成され、デジタルカメラ１０本体の背面側に固定的に配設されて、撮影モード時にはモニタ表示部（電子ファインダ）として機能するもので、デジタルビデオエンコーダ２５からのビデオ信号に基づいた表示を行なうことで、その時点でＣＣＤ１３での撮像によりＶＲＡＭコントローラ２３から取込んでいる画像情報に基づく画像を表示することとなる。
【００４４】
このように表示部２６にその時点での画像をモニタ画像としてリアルタイムに表示させている状態で、静止画撮影を行ないたいタイミングでキー入力部２７を構成する複数のキー中のシャッタキーを操作すると、トリガ信号を発生する。
【００４５】
制御部２２は、このトリガ信号に応じてその時点でＣＣＤ１３から取込んでいる１フレーム分の輝度及び色差信号のＤＲＡＭ２１へのＤＭＡ転送の終了後、直ちにＣＣＤ１３からＤＲＡＭ２１への経路を停止し、記録保存の状態に遷移する。
【００４６】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路２８に書込み、このＪＰＥＧ回路２８でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４７】
そして、得た符号データを１フレームのデータファイルとして該ＪＰＥＧ回路２８から読出し、このデジタルカメラ１０の記録媒体として着脱自在に装着されるメモリカードに封入された不揮発性メモリであるフラッシュメモリ２９に書込む。
【００４８】
そして、１フレーム分の輝度及び色差信号の圧縮処理及びメモリカード２９への全圧縮データの書込み終了に伴なって、制御部２２はＣＣＤ１３からＤＲＡＭ２１への経路を再び起動する。
【００４９】
なお、上記キー入力部２７は、上述したシャッタキーの他に、基本モードである記録（ＲＥＣ）モードと再生（ＰＬＡＹ）モードとを切換える録／再モード切換えキー、記録モードでさらに静止画の記録と動画の記録を切換える記録モード切換キー、各種メニュー項目を表示させる「メニュー」キー、画像や各種モードの選択、メニュー選択項目の指定等のために上下左右各方向を指示するための十字キー、その時点で選択されている内容を指示設定する「セット」キー、上記表示部２６での表示をオン／オフするディスプレイキー等から構成され、それらのキー操作に伴なう信号は直接制御部２２へ送出される。
【００５０】
しかるに、静止画像ではなく動画像の撮影時においては、キー入力部２７のシャッタキーが操作され続けている間、上述した静止画像データをＪＰＥＧ回路２８でデータ圧縮した静止画データファイルのメモリカード２９への記録を時間的に連続して実行し、該シャッタキーの操作が終わるか、または所定の制限時間、例えば３０秒が経過した時点でそれら一連の静止画データファイルを一括してモーションＪＰＥＧのデータファイルとして設定し直す。
【００５１】
なお、再生モード時には、制御部２２がメモリカード２９に記録されている画像データを選択的に読出し、ＪＰＥＧ回路２８で撮影モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容をＶＲＡＭコントローラ２３を介してＶＲＡＭ２４に記憶させ、このＶＲＡＭ２４より定期的に画像データを読出してビデオ信号を発生し、表示部２６で再生出力させる。
【００５２】
選択した画像データが静止画像ではなく動画像であった場合、選択した動画像ファイルを構成する個々の静止画像データの再生を時間的に連続して実行し、すべての静止画像データの再生を終了した時点で、次に再生の指示がなされるまで先頭に位置する静止画像データのみを用いて再生表示する。
【００５３】
（実施形態の第１の動作）
上記実施形態の記録時の動作について説明する。
図２は、基本モードとして記録モードが選択され、且つ動画の記録が切換設定されている状態で主として制御部２２が実行する動作プログラムに基づいた処理内容を示すものである。
その処理当初には、シャッタキーの操作により動画撮影の開始が指示されるのを待機する（ステップＡ０１）。
【００５４】
そして、シャッタキーが操作されたと判断すると、この撮影開始の指示に応じてその時点でＣＣＤ１３から取込んでいる１フレーム分の輝度及び色差信号が後述する今回の画像データとしてバッファメモリであるＤＲＡＭ２１へＤＭＡ転送されるのを待ち（ステップＡ０２）、次にそのＤＲＡＭ２１に転送された画像データが動画撮影を開始してから３枚目以降の画像データであるか否かを判断する（ステップＡ０３）。
【００５５】
これは、本実施形態では時間的に連続した３枚の画像データを用いて、その中央に位置する前回取込んだ画像データ（図及び以下文中では「前回の画像データ」と称する）を判断対象とし、その直前に取込んだ画像データ（図及び以下文中では「前々回の画像データ」と称する）及びその直後に取込んだ画像データ（図及び以下文中では「今回の画像データ」と称する）を用いて比較することで、その画像データの撮影条件等が正常であるか否かを判断するためである。
【００５６】
したがって、ＤＲＡＭ２１は少なくとも前々回の画像データと、前回の画像データと、今回の画像データの３枚の画像データだけは保持されるように構成されている。
【００５７】
ステップＡ０３で３枚目以降の画像データであると判断した場合、次にＤＲＡＭ２１に保持されている前々回の画像データと前回の画像データを比較し（ステップＡ０４）、ホワイトバランスやコントラスト（輝度）の値の差が予め設定された値を越えているか否かにより、差異が著しく大きいか否かを判断する（ステップＡ０５）。
【００５８】
ここで前々回の画像データと前回の画像データの差異が著しく大きいと判断した場合、次にＤＲＡＭ２１に保持されている前回の画像データと今回の画像データを比較し（ステップＡ０６）、上記と同様にホワイトバランスやコントラストの値の差が予め設定された値を越えているか否かにより、差異が著しく大きいか否かを判断する（ステップＡ０７）。
【００５９】
ここで前回の画像データと今回の画像データの差異も著しく大きいと判断した場合、次にＤＲＡＭ２１に保持されている前々回の画像データと今回の画像データを比較し（ステップＡ０８）、上記と同様にホワイトバランスやコントラストの値の差が予め設定された値を越えていないかどうかにより、差異が著しく小さいか否かを判断する（ステップＡ０９）。
【００６０】
ここで前々回の画像データと今回の画像データの差異が著しく小さいと判断した場合、前回の画像データのみがホワイトバランスが狂っているか、レンズの直前を何かが横切ることにより輝度が低下しているか、手振れの発生によりコントラスト値が低下しているものとして、この前回の画像データの記録を禁止し、前々回の画像のフレーム表示時間が２倍となるように前々回の画像データを代わってフラッシュメモリ２９に記録する（ステップＡ１１）。
【００６１】
また、上記ステップＡ０３で今回の画像データが３枚目以降の画像ではなく、まだ時間的に連続した３枚の画像データがないために比較判断が行なえないと判断した場合、あるいは上記ステップＡ０５で前々回の画像データと前回の画像データの差異が所定の範囲内であると判断した場合、あるいはステップＡ０７で前回の画像データと今回の画像データの差異が所定の範囲内であると判断した場合、あるいは上記ステップＡ０９で前々回の画像データと今回の画像データの差異が所定の範囲を越えていると判断した場合には、前回の画像データに何ら問題がないか、問題の有無を判断できる状態にはないものとして、その前回の画像データをフラッシュメモリ２９に記録する（ステップＡ１０）。
【００６２】
ただし、上記ステップＡ０３で今回の画像データが３枚目以降の画像ではないと判断された際、今回の画像データが１枚目の画像である場合は、ステップＡ１０で前回の画像を記録することはできないのでステップＡ１０をスキップしてステップＡ１２に遷移させる必要がある。
上記ステップＡ１０またはＡ１１の処理後、キー入力部２７のシャッタキーの操作が解除されたか否かにより撮影を終了するか否かを判断する（ステップＡ１２）。
【００６３】
ここで撮影を終了しない場合には、さらに撮影時間が予め設定されている時間制限、例えば３０秒に達したか否かを判断し（ステップＡ１３）、達していない場合には撮影を続行すべく再び上記ステップＡ０２からの処理に戻る。
【００６４】
また、上記ステップＡ１２でキー入力部２７のシャッタキーの操作が解除され、撮影を終了すると判断した場合、及び上記ステップＡ１３で撮影時間が予め設定された制限時間となったと判断した場合には、その時点で撮影動作を停止し、上述した如くフラッシュメモリ２９に記録された一連の静止画データファイルを一括してモーションＪＰＥＧのデータファイルとして設定し直した上で、次の動画撮影に備えるべく再び上記ステップＡ０１からの処理に戻る。
【００６５】
なお、上記ステップＡ０７で前回の画像データと今回の画像データの差異も著しく大きいと判断した場合、上記ステップＡ０８、Ａ０９をスキップして上記ステップＡ１１に遷移するようにしてもよい。
図４は、上記のような動画撮影により得られる時間的に連続した撮影画像の一部（１−１）〜（１−５）と、それに対応するフラッシュメモリ２９への記録内容（２−１）〜（２−５）とを例示するものである。
【００６６】
この場合、撮影により得られる一連の（１−１）〜（１−５）の各画像中、（１−２）の画像は他の一連の画像に対して１枚のみ著しくホワイトバランスが異なっている。
【００６７】
そのため、上記ステップＡ０５にてこの（１−２）の画像が（１−１）の画像と著しく異なると判断され、次いでステップＡ０７でこの（１−２）の画像が（１−３）の画像とも著しく異なると判断された後に、ステップＡ０９でこの（１−２）の画像を挟む（１−１）の画像と（１−３）の画像の差が著しく小さいと判断されると、以上で（１−２）の画像のみが他と大きく異なるものと判断される。
【００６８】
したがって、対応する（２−２）の画像としては上記（１−１）の記録画像である（２−１）の画像が記録されることとなる。
【００６９】
このように、前後の画像との差異から不都合な画像を検出してフラッシュメモリ２９への画像の記録を禁止する。そのため、このフラッシュメモリ２９に記録した動画像データを読出して再生する際には、一連の画像中から上記不都合な画像が除外されており、見苦しくない画像のみで構成された動画等を表示させることができる。
【００７０】
加えて、対象となる画像に対する前後の画像を比較した結果、差異が小さく、対象となる画像の確実な判定ができると判断した場合にのみそれを実施するようにしたため、誤って不具合のない画像の記録を禁止してしまうのを確実に阻止できる。
【００７１】
なお、上記記録動作においては、記録を禁止した上記対象となる前回の画像データに代えて、前々回の画像データを記録する場合について説明したが、本発明はこれに限るものではなく、例えば対象となる前回の画像データの直後に位置する今回の画像データを代わりに用いるものとしてもよいし、さらには前々回の画像データと今回の画像データを用いてその中間画像データを作成し、代わりに用いるものとしてもよい。
【００７２】
このように、記録を禁止した画像データに代えて時間的に隣接している画像データまたはそれらから作成した画像データを挿入して記録するようにしたため、時間的なずれが発生せず、且つ違和感も生じない、きわめて自然な流れの動画像データを記録することができる。
【００７３】
また、対象となる画像の記録の禁止に際して、上述したように時間的に隣接した他の画像データを代わりに記録するのではなく、禁止した旨を示すフラグ等の情報を直前に位置する前々回の画像データに付加して記録するものとしてもよい。
【００７４】
このようにすれば、後の再生時に上記禁止した旨を示すフラグ等の情報を読取ることで、例えばフラグ等の情報が付加されている画像データの再生時間を２倍にしたり、隣接した画像またはそれらから作成した画像を代わりに挿入して再生するなど、記録時の処理負担を軽減しながら、時間的なずれを発生させず、且つ違和感も生じさせずにきわめて自然な流れの画像を再生するように対処できる。
【００７５】
また、対象となる画像の記録を禁止せずに、対象となる画像を記録する際に再生を禁止する画像である旨を示すフラグ等の情報を付加して記録するものとしてもよい。
【００７６】
このようにすれば、後の再生時に上記再生を禁止する画像である旨を示すフラグ等の情報を読取り、フラグ等の情報が付加されている画像データの再生を禁止することで、見苦しくない画像のみで構成された動画等を表示させることができる。この場合、再生を禁止させるだけでなく、さらに直前の画像の再生時間を延長させたり、前後の画像またはそれらから作成した画像を再生を禁止した画像の代わりに挿入して再生させるようにすれば、時間的なずれを発生させず、且つ違和感も生じさせずにきわめて自然な流れの画像を再生するように対処できるようになる。
【００７７】
また、記録を禁止した画像データに代えて他の画像データを記録したりフラグ等の情報を記録せずに単に対象となる画像の記録を禁止するのみでもよい。
【００７８】
なお、上記実施形態は、動画撮影に際してフラッシュメモリ２９に記録する画像データの処理について説明したものであるが、記録モード時に表示部２６でモニタ表示する内容についても同様の処理を行なうものとしてもよい。
【００７９】
具体的には、図２のステップＡ０１で動画撮影の開始が指示されるまで、表示部に２６にファインダ画像（スルー画像）をモニタ表示するために、順次ＣＣＤ１３から取込まれる画像に対してステップＡ０２〜Ａ１１の処理を実行するものとしてもよい（ただし，ステップＡ１０は「前回の画像を再生」、ステップＡ１１は「画像フレームの切換時間を調整して再生」となる）。
【００８０】
さらに、ステップＡ１０を「前回の画像を記録／再生」、ステップＡ１１を「画像フレームの切換時間を調整して記録／再生」として、動画記録と平行して動画表示を行なうようにしてもよい。
そうした場合、ホワイトバランスの一時的な変化や手振れ等によりＣＣＤ１３で撮像している画像に乱れを生じた場合でも、モニタ表示される画像には不自然な画像が混入することなく、きわめて自然な流れの画像を表示させることができる。
【００８１】
（実施形態の第２の動作）
上記実施形態の再生時の動作について説明する。
図３は、基本モードとして再生モードが選択され、且つ動画像ファイルが選択される状態で主として制御部２２が実行する動作プログラムに基づいた処理内容を示すものである。
この場合、フラッシュメモリ２９を封入しているメモリカードは、デジタルカメラ１０に対して着脱自在に設けられるため、フラッシュメモリ２９には上記図２で説明した如く本デジタルカメラ１０での撮影により記録された動画像ファイルではなく、他機での撮影により記録された動画像ファイルも混在している可能性があるものとする。
【００８２】
その処理当初には、十字キーの操作と「セット」キーの操作により動画像ファイルが選択されて再生開始が指示されるのを待機する（ステップＢ０１）。
【００８３】
そして、「セット」キーが操作されたと判断すると、この撮影開始の指示に応じてその時点で選択している動画像ファイルを構成している複数の静止画像データ中から、先頭に位置するものを読出してＪＰＥＧ回路２８でデータ伸長し、ＤＲＡＭインタフェース２０を介してＤＲＡＭ２１に後述する今回の画像データとして保持されるのを待ち（ステップＢ０２）、次にそのＤＲＡＭ２１に転送された画像データが動画再生を開始してから３枚目以降の画像データであるか否かを判断する（ステップＢ０３）。
【００８４】
これは、本実施形態では時間的に連続した３枚の画像データを用いて、その中央に位置する前回読み出した画像データ（図及び以下文中では「前回の画像データ」と称する）を判断対象とし、その直前に読み出した画像データ（図及び以下文中では「前々回の画像データ」と称する）及びその直後に読み出した画像データ（図及び以下文中では「今回の画像データ」と称する）を用いて比較することで、その画像データの撮影条件等が正常であるか否かを判断するためである。
【００８５】
したがって、ＤＲＡＭ２１は少なくとも前々回の画像データと、前回の画像データと、今回の画像データの３枚の画像データだけは保持されるように構成されている。
【００８６】
ステップＢ０３で３枚目以降の画像データであると判断した場合、次にＤＲＡＭ２１に保持されている前々回の画像データと前回の画像データを比較し（ステップＢ０４）、ホワイトバランスやコントラストの値（輝度）の差が予め設定された値を越えているか否かにより、差異が著しく大きいか否かを判断する（ステップＢ０５）。
【００８７】
ここで前々回の画像データと前回の画像データの差異が著しく大きいと判断した場合、次にＤＲＡＭ２１に保持されている前回の画像データと今回の画像データを比較し（ステップＢ０６）、上記と同様にホワイトバランスやコントラストの値の差が予め設定された値を越えているか否かにより、差異が著しく大きいか否かを判断する（ステップＢ０７）。
【００８８】
ここで前回の画像データと今回の画像データの差異も著しく大きいと判断した場合、次にＤＲＡＭ２１に保持されている前々回の画像データと今回の画像データを比較し（ステップＢ０８）、上記と同様にホワイトバランスやコントラストの値の差が予め設定された値を越えていないかどうかにより、差異が著しく小さいか否かを判断する（ステップＢ０９）。
【００８９】
ここで前々回の画像データと今回の画像データの差異が著しく小さいと判断した場合、前回の画像データのみがホワイトバランスが狂ったのか、レンズの直前を何かが横切ることにより輝度が低下しているか、手振れの発生によりコントラスト値が低下したものとして、この前回の画像データの再生を禁止し、前々回の画像データを代わって再生するべく、具体的には前々回の画像データのフレーム表示時間が２枚分となるように前々回の画像データをＶＲＡＭ２４に再度展開記録し、表示部２６で表示させる。
【００９０】
また、上記ステップＢ０３で今回の画像データが３枚目以降の画像ではなく、まだ時間的に連続した３枚の画像データがないために比較判断が行なえないと判断した場合、あるいは上記ステップＢ０５で前々回の画像データと前回の画像データの差異が所定の範囲内であると判断した場合、あるいはステップＢ０７で前回の画像データと今回の画像データの差異が所定の範囲内であると判断した場合、あるいは上記ステップＢ０９で前々回の画像データと今回の画像データの差異が所定の範囲を越えていると判断した場合には、前回の画像データに何ら問題がないか、問題の有無を判断できる状態にはないものとして、その前回の画像データをＶＲＡＭ２４に展開記憶させ、表示部２６で表示させる（ステップＢ１０）。
【００９１】
ただし、上記ステップＢ０３で今回の画像データが３枚目以降の画像ではないと判断された際、今回の画像データが１枚目の画像である場合は、ステップＢ１０で前回の画像を再生することはできないのでステップＢ１０をスキップしてステップＢ１２に遷移させる必要がある。
上記ステップＢ１０またはＢ１１の処理後、フラッシュメモリ２９から読出す動画像データを構成する静止画像データがなくなったか否かにより再生を終了するか否かを判断する（ステップＢ１２）。
【００９２】
ここで再生を終了しない場合には、さらに再生を停止させるためのキー入力部２７でのキー操作、例えば再度の「セット」キーの操作がなされたか否かを判断し（ステップＢ１３）、なされていない場合には再生を続行すべく再び上記ステップＢ０２からの処理に戻る。
【００９３】
また、上記ステップＢ１２で読出す動画像データを構成する静止画像データがなくなり、再生を終了すると判断した場合、及び上記ステップＢ１３で再生を停止させるためのキー入力がなされたと判断した場合には、その時点で再生動作を停止し、次の再生に備えるべく再び上記ステップＢ０１からの処理に戻る。
【００９４】
なお、上記ステップＢ０７で前回の画像データと今回の画像データの差異も著しく大きいと判断した場合、上記ステップＢ０８、Ｂ０９をスキップして上記ステップＢ１１に遷移するようにしてもよい。
上記記録時と同様に図４の画像を用いて上記実施形態の具体的な再生表示例を示すものとする。この場合、図４は、上記のような動画再生により読出される時間的に連続した動画像の一部（１−１）〜（１−５）と、それに対応する表示部２６での表示内容（２−１）〜（２−５）とを例示するものである。
【００９５】
この場合、再生により読出される一連の（１−１）〜（１−５）の各画像中、（１−２）の画像は他の一連の画像に対して１枚のみ著しくホワイトバランスが異なっている。
【００９６】
そのため、上記ステップＢ０５にてこの（１−２）の画像が（１−１）の画像と著しく異なると判断され、次いでステップＢ０７でこの（１−２）の画像が（１−３）の画像とも著しく異なると判断された後に、ステップＢ０９でこの（１−２）の画像を挟む（１−１）の画像と（１−３）の画像の差が著しく小さいと判断されると、以上で（１−２）の画像のみが他と大きく異なるものと判断される。
【００９７】
したがって、対応する（２−２）の画像としては上記（１−１）の再生画像である（２−１）の画像データが再度ＶＲＡＭ２４に展開記憶されることとなる。
【００９８】
このように、媒体であるフラッシュメモリ２９から読出した動画を構成する個々の静止画像について、前後の画像との差異から不都合な画像を検出してその画像の再生を禁止する。そのため、再生される画像中から上記不都合な画像が除外され、見苦しくない画像のみで構成された動画像を表示させることができる。
【００９９】
加えて、対象となる画像に対する前後の画像を比較した結果、差異が小さく、対象となる画像の確実な判定ができると判断した場合にのみそれを実施するようにしたため、誤って不具合のない画像の再生を禁止してしまうのを確実に阻止できる。
【０１００】
なお、上記再生動作においては、再生を禁止した上記対象となる前回の画像データに代えて、前々回の画像のフレーム表示時間が２倍となるように再生設定する場合について説明したが、本発明はこれに限るものではなく、例えば対象となる前回の画像データの直後に位置する今回の画像データを代わりに用いるものとしてもよい。
【０１０１】
このように、再生を禁止した画像データに代えて時間的に隣接している画像データを挿入して再生するようにしたため、記録時と再生時とで時間的なずれが発生せず、且つ違和感も生じない、きわめて自然な流れの動画像データを再生することができる。
【０１０２】
また、再生を禁止した画像データに代えて他の画像データを再生せずに単に対象となる画像の再生を禁止するのみでもよい。
【０１０３】
なお、上記実施形態は、本発明を静止画像及び動画のいずれも撮影可能なデジタルカメラに適用した場合について説明したものであるが、本発明はこれに限らず、動画撮影も可能なカメラ機能を有する携帯電話端末やＰＤＡ（Ｐｅｒｓｏｎａｌ  Ｄｉｇｉｔａｌ  Ａｓｓｉｓｔａｎｔｓ：携帯情報端末）等にも適用することが可能であることは勿論である。
【０１０４】
また、上記実施形態の第２の動作に関しては、ビデオプレーヤー、ＤＶＤプレーヤー、パソコン等の撮影機能を有しない画像再生装置にも適用することが可能である。
その他、本発明は上記実施形態に限らず、その要旨を逸脱しない範囲内で種々変形して実施することが可能であるものとする。
【０１０５】
さらに、上記実施形態には種々の段階の発明が含まれており、開示される複数の構成要件における適宜な組合わせにより種々の発明が抽出され得る。例えば、実施形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１０６】
【発明の効果】
請求項１記載の発明によれば、前後の画像との差異から不都合な画像を検出してその画像の記録を禁止するため、再生時には画像中から上記不都合な画像が除外されており、見苦しくない画像のみで構成された動画等を表示させることができる。
【０１０７】
請求項２記載の発明によれば、上記請求項１記載の発明の効果に加えて、対象となる画像と前後の画像との差異が小さく、対象となる画像の確実な判定ができると判断した場合にのみそれを実施するようにしたため、誤って不具合のない画像の記録を禁止してしまうのを阻止できる。
【０１０８】
請求項３記載の発明によれば、上記請求項１または２記載の発明の効果に加えて、記録を禁止した画像に代えて隣接した画像またはそれらから作成した画像を挿入して記録するようにしたため、時間的なずれが発生せず、且つ違和感も生じない、きわめて自然な流れの画像が記録できる。
【０１０９】
請求項４記載の発明によれば、上記請求項１または２記載の発明の効果に加えて、後の再生時に上記禁止した旨を示す情報を読取ることで、例えば隣接した画像またはそれらから作成した画像を挿入して再生するなど、時間的なずれを発生させず、且つ違和感も生じさせずにきわめて自然な流れの画像を再生するように対処できる。
【０１１０】
請求項５記載の発明によれば、撮影時にモニタ表示される画像に不自然な画像が混入することなく、きわめて自然な流れの画像を表示させることができる。
【０１１１】
請求項６記載の発明によれば、前後の画像との差異から不都合な画像を検出して再生を禁止する画像である旨を示すフラグ等の情報を付加して記録するため、後の再生時に上記再生を禁止する画像である旨を示すフラグ等の情報を読取り、その画像の再生を表示することで、見苦しくない画像のみで構成された動画等を表示させることができるだけでなく、さらに直前の画像の再生時間を延長させたり、前後の画像またはそれらから作成した画像を再生を禁止した画像の代わりに挿入して再生させるようにすれば、時間的なずれを発生させず、且つ違和感も生じさせずにきわめて自然な流れの画像を再生するように対処できるようになる。
【０１１２】
請求項７記載の発明によれば、前後の画像との差異から不都合な画像を検出してその画像の再生を禁止するため、画像中から上記不都合な画像が除外され、見苦しくない画像のみで構成された動画等を表示させることができる。
【０１１３】
請求項８記載の発明によれば、上記請求項７記載の発明の効果に加えて、対象となる画像と前後の画像との差異が小さく、対象となる画像の確実な判定ができると判断した場合にのみそれを実施するようにしたため、誤って不具合のない画像の再生を禁止してしまうのを阻止できる。
【０１１４】
請求項９記載の発明によれば、上記請求項７または８記載の発明の効果に加えて、対象となる画像に代えて隣接した画像を用いた再生を実行することで、時間的なずれを発生させず、且つ違和感も生じさせずにきわめて自然な流れの画像を再生することができる。
【０１１５】
請求項１０記載の発明によれば、前後の画像との差異から不都合な画像を検出してその画像の記録を禁止するため、再生時には画像中から上記不都合な画像が除外されており、見苦しくない画像のみで構成された動画等を表示させることができる。
【０１１６】
請求項１１記載の発明によれば、撮影時にモニタ表示される画像に不自然な画像が混入することなく、きわめて自然な流れの画像を表示させることができる。
【０１１７】
請求項１２記載の発明によれば、前後の画像との差異から不都合な画像を検出して再生を禁止する画像である旨を示すフラグ等の情報を付加して記録するため、後の再生時に上記再生を禁止する画像である旨を示すフラグ等の情報を読取り、その画像の再生を表示することで、見苦しくない画像のみで構成された動画等を表示させることができるだけでなく、さらに直前の画像の再生時間を延長させたり、前後の画像またはそれらから作成した画像を再生を禁止した画像の代わりに挿入して再生させるようにすれば、時間的なずれを発生させず、且つ違和感も生じさせずにきわめて自然な流れの画像を再生するように対処できるようになる。
【０１１８】
請求項１３記載の発明によれば、前後の画像との差異から不都合な画像を検出してその画像の再生を禁止するため、画像中から上記不都合な画像が除外され、見苦しくない画像のみで構成された動画等を表示させることができる。
【図面の簡単な説明】
【図１】本発明の一実施形態に係るデジタルカメラの回路構成を示すブロック図。
【図２】同実施形態に係る動画撮影モード時の処理内容を示すフローチャート。
【図３】同実施形態に係る動画再生モード時の処理内容を示すフローチャート。
【図４】同実施形態に係る動画撮影モード時及び動画再生モード時の元画像データと処理の結果出力される画像データとの対応を例示する図。
【符号の説明】
１０…デジタルカメラ、
１１…モータ（Ｍ）、
１２…レンズ光学系、
１３…ＣＣＤ、
１４…タイミング発生器（ＴＧ）、
１５…垂直ドライバ、
１６…サンプルホールド回路（Ｓ／Ｈ）、
１７…Ａ／Ｄ変換器、
１８…カラープロセス回路、
１９…ＤＭＡコントローラ、
２０…ＤＲＡＭインタフェース（Ｉ／Ｆ）、
２１…ＤＲＡＭ、
２２…制御部、
２３…ＶＲＡＭコントローラ、
２４…ＶＲＡＭ、
２５…デジタルビデオエンコーダ、
２６…表示部、
２７…キー入力部、
２８…ＪＰＥＧ回路、
２９…メモリカード。
【図１】
2004207990.tif 000003
【図２】
2004207990.tif 000004
【図３】
2004207990.tif 000005
【図４】
2004207990.tif 000006